(57)【要約】      （修正有）【課題】ショルダーバッグ等の鞄の裏面部より表面部にかけて、被覆するカバー体が着脱自在にして、使用者の好みに応じて適宜交換することができるカバー体が着脱自在な鞄を提供する。【解決手段】鞄Ａを構成する袋体ａの表面部をカバーするカバー体ｂが着脱自在にして、且つ前記カバー体ｂが所定の大きさにカットされた金糸等で織った柄付き古帯生地製もしくは前記古帯生地と同じ大きさにてカットされた柄付き着物生地もしくはジーンズ生地もしくは革製生地もしくは柄付き合成樹脂製シート状生地であると共に、前記袋体ａの表面部と裏面部の所定個所に接続部３が、前記カバー体ｂの裏面部にも接続部が夫々形成されている。【選択図】図１
0003186570.tif 000002
【実用新案登録請求の範囲】
【請求項１】
鞄を構成する袋体の表面部をカバーするカバー体が着脱自在にして、且つ前記カバー体が所定の大きさにカットされた金糸等で織った柄付き古帯生地製もしくは前記古帯生地と同じ大きさにてカットされた柄付き着物生地もしくはジーンズ生地もしくは革製生地もしくは柄付き合成樹脂製シート状生地であると共に、前記袋体の表面部と裏面部の所定個所に接続部が、前記カバー体の裏面部にも接続部が夫々形成されていることを特徴とするカバー体が着脱自在な鞄。
【請求項２】
前記袋体の表面部に形成の接続部を前記表面部の下方部に、前記袋体の裏面部に形成の接続部を前記裏面部の上方部に形成せしめると共に、前記カバー体の裏面部の接続部を、前記裏面部の上方部と下方部に夫々形成せしめることを特徴とする請求項１に記載のカバー体が着脱自在な鞄。
【請求項３】
前記袋体の裏面部の上方部に形成の接続部と、前記カバー体の裏面部の上方部に形成の接続部を細長く帯状にて形成すると共に、前記袋体の表面部の下方部に形成の接続部と、前記カバー体の裏面部の下方部に形成の接続部を、短尺状にて形成すること特徴とする請求項１又は同２に記載のカバー体が着脱自在な鞄。
【請求項４】
前記袋体の左側壁面部と右側壁面部に、ストラップを装着せしめることを特徴とする請求項１又は同２又は同３に記載のカバー体が着脱自在な鞄。  
【請求項５】
前記接続部を面テープとすることを特徴とする請求項１又は同２又は同３又は同４に記載のカバー体が着脱自在な鞄。
【考案の詳細な説明】
【技術分野】
【０００１】
本考案は、ショルダーバッグ等の鞄の裏面部より表面部にかけて、被覆するカバー体が着脱自在にして、使用者の好みに応じて適宜交換することができるカバー体が着脱自在な鞄の技術分野に関するものである。
【背景技術】
【０００２】
従来、特開２００２−２７２５１７公開特許公報に「２１世紀バッグ」が掲載されている。
【０００３】
この発明は、バッグ本体の外壁面の内、身体に接触する側の内向き後面を除く総面積の１割以上の外壁面をマジックテープ（登録商標）の雌部で構成するか、外壁表面に対しマジックテープの雌部を接着するか、縫い付けたバッグである。
【０００４】
さらに、前記開示の発明は、バッグが使用される状態において、地面と平行に成る様に繊維の下辺部を、バッグ本体の外壁面に対し取り付けるか、取り付けられる様な構成である。
【０００５】
前記開示の公開特許公報以外に、ゲーム付きバッグが、特開２００４−２０９７６公開特許公報として開示されている。
【０００６】
この開示のゲーム付きバッグは、バッグの周囲にファスナーを付け、その中にゲームをマジックテープで取り付けて、いつでもどこでも手軽に遊ぶことができるゲーム付きバッグである。ゲームだけを取り替えて、バリエーションを楽しむことができる。ゲームがバッグ表面のビニールから見えるので、そのゲーム自体がバッグのデザインとなる。バッグ本体は、従来どおりの一般的な使用が可能である。
【先行技術文献】
【特許文献】
【０００７】
【特許文献１】特開２００２−２７２５１７公開特許公報
【０００８】
【特許文献２】特開２００４−２０９１７６公開特許公報
【考案の概要】
【考案が解決しようとする課題】
【０００９】
前記従来の特許文献１に係る特開２００２−２７２５１７公開特許公報の２１世紀バッグは、簡単にバッグの外観を変化させることが可能であり、自分自身のコーディネイトもできるようにするために、デザインが施された繊維等を用意し、前記繊維等の裏面にマジックテープの雄部を接続する構造をしたものである。
【００１０】
従って、該発明のバッグは、カバー体として着脱することを創作の目的としたものではない。
【００１１】
さらに、上記した特許文献２の特開２００４−２０９１７６公開特許公報のゲーム付きバッグは、ゲームをバッグ表面のファスナー付きビニール内にマジックテープで取付け、ゲームだけを取り替えて、バリエーションを楽しむことを創作の目的としたものであり、前記ファスナー付きを開放するとゲームが表われるようにしたカバーは、前記ゲーム（囲碁、将棋等）を隠蔽するための機能を有するだけのものである。
【００１２】
しかるに、本考案のカバー体が着脱自在な鞄の解決しようとする課題は、第１に、鞄を構成しているカバー体が、前記カバー体の大きさに裁断された金糸等で織った柄付き古帯の生地もしくは前記古帯生地と同じ大きさにてカットされた柄付き古い着物生地もしくはジーンズ生地もしくは皮革製生地もしくは色彩もしくは柄付き合成樹脂製シート状生地から形成し、前記のようにして形成のカバー体を鞄を構成する袋体の裏面部から表面部にかけて被覆するようにしたカバー体を各種取揃えておき、鞄所有者らの好みに応じたり、もしくは季節に応じて取替えることができるというものである。
【００１３】
本考案が解決しようとする第２の課題は、近年の高級にして、且つ高額な帯や着物類を身につけないと云う強い風潮によって、低価格で取引きされている前記の高級帯や着物類を再利用することに貢献できないかと言う問題を解決することができるようにした。
【００１４】
さらに、本考案は、殊にショルダーバッグ製品は、一般的に製作費の関係上、黒い布生地を使用しているがために、外観上地味であるのをショルダーバッグを掛けている本人や他人から見て高級感を抱かしめるという課題をも解決することができるようにした。
【課題を解決するための手段】
【００１５】
上記課題を解決するための手段として、請求項１に記載の考案は、鞄Ａを構成する袋体ａの表面部1をカバーするカバー体ｂが着脱自在にして、且つ前記カバー体ｂが所定の大きさにカットされた金糸等で織った柄付き古帯生地製もしくは前記古帯生地と同じ大きさにてカットされた柄付き着物生地もしくはジーンズ生地もしくは革製生地もしくは柄付き合成樹脂製シート状生地であると共に、前記袋体ａの表面部１と裏面部２の所定個所に接続部３、３aが、前記カバー体ｂの裏面部４にも接続部３ａが夫々形成されていることを特徴とするカバー体が着脱自在な鞄である。
【００１６】
課題を解決するための手段として、請求項２に記載の考案は、前記袋体ａの表面部１に形成の接続部３を前記表面部１の下方部１ａに、前記袋体ａの裏面部２に形成の接続部３ａを、前記裏面部２の上方部２ａに形成せしめると共に、前記カバー体ｂの裏面部４の接続部３、３ａを、前記裏面部４の上方部５と下方部６に夫々形成せしめることを特徴とするカバー体が着脱自在な鞄である。
【００１７】
課題を解決するための手段として、請求項３に記載の考案は、前記袋体ａの裏面部２の上方部２ａに形成の接続部３ａと、前記カバー体ｂの裏面部４の上方部５に形成の接続部３aを細長く帯状にて形成すると共に、前記袋体ａの表面部１の下方部１ａに形成の接続部３と、前記カバー体ｂの裏面部４の下方部６に形成の接続部３ａを、短尺状にて形成すること特徴とする請求項１又は同２に記載のカバー体が着脱自在な鞄である。
【００１８】
課題を解決するための手段として、請求項４に記載の考案は、前記袋体ａの左側壁面部１１と右側壁面部１２に、ストラップ１３を装着せしめることを特徴とする請求項１又は同２又は同３に記載のカバー体が着脱自在な鞄である。
【００１９】
課題を解決するための手段として、請求項５に記載の考案は、前記接続部３、３ａ、３、３ａを面テープとすることを特徴とする請求項１又は同２又は同３又は同４に記載のカバー体が着脱自在な鞄である。
【考案の効果】
【００２０】
請求項１記載の考案は、鞄Ａを構成する袋体ａの表面部1をカバーするカバー体ｂが着脱自在にして、且つ前記カバー体ｂが所定の大きさにカットされた金糸等を織った柄付き古帯生地製もしくは前記古帯生地と同じ大きさにてカットされた柄付き着物生地もしくはジーンズ生地もしくは革製生地もしくは柄付き合成樹脂製シート状生地であると共に、前記袋体ａの表面部１と裏面部２の所定個所に接続部３が、前記カバー体ｂの裏面部４にも接続部３ａが夫々形成されているカバー体が着脱自在な鞄なので、高級感を味わうことができると共に、鞄着用者の好みに応じて取替えることができる利点がある。
【００２１】
さらに、本考案は、カバー体の取替えによって、一個の鞄で何種類もの鞄を所有しているかの良い気分になったりができると共に、周囲の者たちにも好印象を与える利点がある。
【００２２】
また請求項２に記載の考案は、前記袋体ａの表面部１に形成の接続部３を、前記表面部１の下方部１ａに、前記袋体ａの裏面部２に形成の接続部３ａを、前記裏面部２の上方部２ａに形成せしめると共に、前記カバー体ｂの裏面部４の接続部３、３ａを、前記裏面部４の上方部５と下方部６に夫々形成せしめるカバー体が着脱自在な鞄なので、前記請求項１に記載の考案と同じ効果を有している。
【００２３】
さらに、請求項３記載の考案は、前記袋体ａの裏面部２の上方部２ａに形成の接続部３ａと、前記カバー体ｂの裏面部４の上方部５に形成の接続部３を、細長く帯状にて形成すると共に、前記袋体ａの表面部１の下方部１ａに形成の接続部３と、前記カバー体ｂの表面部４の下方部６に形成の接続部３ａを、短尺状にて形成するカバー体が着脱自在な鞄なので、カバー体が袋体に確実に固着し、離脱のおそれはない。
【００２４】
加えて、請求項４記載の考案は、前記袋体ａの左側壁面部１１と右側壁面部１２に、ストラップを装着せしめるカバー体が着脱自在な鞄なので、前記請求項１に記載の効果と同じ効果を有している。
【００２５】
また、請求項５記載の考案は、前記接続部３、３ａ、３、３ａを、面テープとするカバー体が着脱自在な鞄なので、前記請求項１に記載の効果と同じ効果を有している。
【図面の簡単な説明】
【００２６】
【図１】本考案のカバー体が着脱自在な鞄の全体斜視図である。
【００２７】
【図２】同鞄の背面よりみた斜視図である。
【００２８】
【図３】同カバー体をカバーした鞄の正面図である。
【００２９】
【図４】同カバー体を除去した鞄の正面図である。
【００３０】
【図５】同カバー体を除去した鞄の背面図である。
【００３１】
【図６】同カバー体の正面図である。
【００３２】
【図７】同図６のカバー体の背面図である。
【００３３】
【図８】同図７のＡ−Ａ線縦断面図である。
【００３４】
【図９】同図７のＢ−Ｂ線縦断面図である。
【００３５】
【図１０】同各種古帯の正面図である。
【考案を実施するための最良の形態】
【００３６】
本考案の請求項１〜５に記載の実施の形態は共通しているので、一括して以下のとおり説明する。
【００３７】
図において、符号Ａは袋体aを有する鞄を示しており、素材は革製もしくは化学繊維もしくは綿・麻などで織り上げた布製等である。
【００３８】
前記袋体aは、図面図示のように、開口部はファスナー８で開閉自在である。
【００３９】
符号１は前記袋体aの表面部であり、符号２は該袋体aの裏面部を示している。
【００４０】
前記袋体aの表面部１には、ポケットｐが形成されているが限定的でない。
【００４１】
さらに、前記袋体aの裏面部２にも、ポケットｐが形成されているが限定的でない。
【００４２】
符号３は前記袋体aの裏面部２の上方部４に形成した接続部を示している。この接続部３は細長い帯状にして、且つ水平状に形成する。その材質は通常面テープである。
【００４３】
符号３aは前記袋体aの裏面部２の下方部５に形成した接続部であり、この接続部３aは、短尺状にて形成し、その材質は通常面テープである。
【００４４】
符号ｂは本考案の構成上の要部である前記袋体aの表面部１をカバーするカバー体であり、以下の構成からなっている。
【００４５】
このカバー体ｂは、実施例１として、高級にして、しかも高価であった金糸織り等の古帯ｃを所定の大きさに、例えば前記袋体aの裏面部２の一部から表面部１全体をカバーする大きさに予め裁断する。
【００４６】
前記のような大きさに裁断されたカット部材を別設の裏生地６と重合し接続する。
【００４７】
これがカバー体ｂの再利用による実施の第１例である。
【００４８】
さらに、前記カバー体ｂの実施例の第２例を示すと以下のとおりである。
【００４９】
前記カバー体ｂは、高級にして高価な着物生地（図示なし）を再利用してもよい。
【００５０】
その際は、前記古帯ｃの再利用と同じく、古帯生地と同じ大きさにカットして再利用する。
【００５１】
さらに、前記カバー体ｂは、その実施の第３例として、ジーンズ生地（図示なし）もしくは革生地（図示なし）もしくは合成樹脂製シート状生地（図示なし）を前記古帯ｃの再利用時と同様に、カットして利用する。
【００５２】
符号８は、前記のようにして形成されたカバー体ｂの裏面部４の上方部７に形成した細長い帯状にして、且つ水平状の接続部である。この材質は通常面テープである。
【００５３】
さらに、符号９は前記カバー体ｂの裏面部４の下方部１０に形成した短尺状の接続部である。この材質も通常面テープである。
【００５４】
符号Ｂは、鞄Ａの左側壁面部１１と右側壁面部１２に装着した長さが自在に伸縮できるストラップを示している。
【００５５】
前記の構成からなる前記カバー体ｂは、前記のように殊に高級にして高価な古帯ｃを再利用する場合は、織り柄に変化があり、鞄Ａの袋体aの裏面部４から表面部１にかけてカバー体ｂはカバー状態になって前記鞄Ａをショルダー方式にして肩にかけていると、周囲の人々に注視されること必然である。
【００５６】
そのため、前記鞄Ａを身に付けている者に、或種の優越感を味わうこととなる。
【００５７】
そして、前記カバー体ｂを織り柄の異なる何種類ものカバー体ｂを所有することによって、時間や期間をおき、あるいはシーズン毎に変えながら使用すれば、一個の鞄でカバー体ｂを変えるだけで足りて経済的であり、鞄Ａの所有者にとって極めてメリットがある。
【符号の説明】
【００５８】
Ａ    鞄
ａ    袋体
ｂ    カバー体
ｃ    古帯
ｐ    ポケット
１    表面部
１a   下方部
２    裏面部
３    接続部
３a   接続部
４    裏面部
４a   接続部
５    上方部
６    下方部
７    上方部
８    ファスナー
９    接続部
１０  下方部
１１  左側壁面部
１２  右側壁面部
１３  ストラップ
【図１】
0003186570.tif 000003
【図２】
0003186570.tif 000004
【図３】
0003186570.tif 000005
【図４】
0003186570.tif 000006
【図５】
0003186570.tif 000007
【図６】
0003186570.tif 000008
【図７】
0003186570.tif 000009
【図８】
0003186570.tif 000010
【図９】
0003186570.tif 000011
【図１０】
0003186570.tif 000012
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
鞄を構成する袋体の表面部をカバーするカバー体が着脱自在にして、且つ前記カバー体が所定の大きさにカットされた金糸等で織った柄付き古帯生地製もしくは前記古帯生地と同じ大きさにてカットされた柄付き着物生地もしくはジーンズ生地もしくは革製生地もしくは柄付き合成樹脂製シート状生地であると共に、前記袋体の表面部と裏面部の所定個所に接続部が、前記カバー体の裏面部にも接続部が夫々形成されていることを特徴とするカバー体が着脱自在な鞄。
【請求項２】
前記袋体の表面部に形成の接続部を前記表面部の下方部に、前記袋体の裏面部に形成の接続部を前記裏面部の上方部に形成せしめると共に、前記カバー体の裏面部の接続部を、前記裏面部の上方部と下方部に夫々形成せしめることを特徴とする請求項１に記載のカバー体が着脱自在な鞄。
【請求項３】
前記袋体の裏面部の上方部に形成の接続部と、前記カバー体の裏面部の上方部に形成の接続部を細長く帯状にて形成すると共に、前記袋体の表面部の下方部に形成の接続部と、前記カバー体の裏面部の下方部に形成の接続部を、短尺状にて形成すること特徴とする請求項１又は請求項２に記載のカバー体が着脱自在な鞄。
【請求項４】
前記袋体の左側壁面部と右側壁面部に、ストラップを装着せしめることを特徴とする請求項１〜３のいずれか１項に記載のカバー体が着脱自在な鞄。
【請求項５】
前記接続部を面テープとすることを特徴とする請求項１〜４のいずれか１項に記載のカバー体が着脱自在な鞄。